(57)【要約】【課題】生物処理槽の混合水の溶存酸素濃度を常に正確に把握し、これにより生物処理槽の溶存酸素濃度を最適条件に維持して混合水の好気性微生物による処理能力を向上させた排水処理方法を提供する。【解決手段】曝気を継続させた状態の生物処理槽４の被処理水である排水と汚泥との混合水を計測槽３２に流入させて一定量貯留し、計測槽３２内の混合水を一定時間曝気して溶存酸素濃度を前記生物処理槽４の混合水の溶存酸素濃度よりも高めた後、計測槽３２の混合水への曝気を停止させて、前記計測槽３２の混合水の酸素利用速度を計測し、前記計測した酸素利用速度により生物処理槽４の混合水の溶存酸素濃度を制御する排水処理方法としたものである。【選択図】図１
2007167703.tif 000002
【特許請求の範囲】
【請求項１】
被処理水である排水と汚泥との混合水の曝気手段を有する生物処理槽と、前記生物処理槽の混合水を流入させ一定量貯留する計測槽と、前記計測槽の混合水の曝気手段と、前記計測槽の混合水の溶存酸素濃度検出器を備え、曝気を継続させた状態の生物処理槽の混合水を計測槽に流入させて一定量貯留し、貯留した計測槽の混合水を一定時間曝気して溶存酸素濃度を曝気槽の混合水の溶存酸素濃度よりも高めた後、計測槽の混合水への曝気を停止させて前記溶存酸素濃度検出器により計測槽の混合水の酸素利用速度を計測し、前記計測した酸素利用速度に基づいて生物処理槽の混合水の溶存酸素濃度を制御することを特徴とする排水処理方法。
【請求項２】
計測槽の混合水の酸素利用速度を計測した後、計測槽の混合水を生物処理槽に排出させるとともに、一定時間ごとに生物処理槽の混合水を計測槽に流入させて一定量貯留し、前記計測槽の混合水の酸素利用速度を計測することを特徴とする請求項１に記載の排水処理方法。
【請求項３】
計測槽に流入させた混合水の曝気開始後の溶存酸素濃度を検出し、前記計測槽の混合水の溶存酸素濃度が一定値以上であるとき、計測槽の混合水の曝気を停止することを特徴とする請求項１または２に記載の排水処理方法。
【請求項４】
計測した酸素利用速度に基づいて生物処理槽への被処理水である排水の流入負荷および／または生物処理槽の混合水の曝気能力を制御することを特徴とする請求項１から３のいずれか１項に記載の排水処理方法。
【請求項５】
計測槽に溶存酸素濃度検出器および計測槽を洗浄する洗浄水を供給し、洗浄後の洗浄水を生物処理槽に排出することを特徴とする請求項１から４のいずれか１項に記載の排水処理方法。
【請求項６】
計測槽に供給した洗浄水を排出後、計測槽に溶存酸素濃度検出器の保存液または保存気体を充填することを特徴とする請求項５に記載の排水処理方法。
【請求項７】
生物処理槽と計測槽の間に異物分離手段を備え、異物分離手段で異物を分離した混合水を計測槽に流入させることを特徴とする請求項１から６のいずれか１項に記載の排水処理方法。
【請求項８】
計測槽の混合水の温度調節手段を備え、生物処理槽の混合水と計測槽の混合水の温度を略同一となるように調節することを特徴とする請求項１から７のいずれか１項に記載の排水処理方法。
【発明の詳細な説明】
【技術分野】
【０００１】
本発明は、工場や他の施設などから排出される被処理水である排水と汚泥との混合水を生物処理槽に貯留し、生物処理槽の混合水の溶存酸素濃度を計測し、検出した溶存酸素濃度により混合水の水質を生物処理に最適な条件に制御する排水処理方法に関するものである。
【背景技術】
【０００２】
従来、生物処理槽の被処理水である排水と汚泥との混合水の水質を計測し、その検出値に基づき水質を最適条件に制御する排水処理方法として、生物処理槽の混合水に直接、溶存酸素濃度検出器を位置させて溶存酸素濃度（ＤＯ、Ｄｉｓｓｏｌｖｅｄ  Ｏｘｙｇｅｎ）を検出し、この検出値に基づき生物処理槽の曝気手段の曝気能力を制御するものがあるが、曝気による混合水の流動化よって溶存酸素濃度検出器の検出値が不安定となり正確な値を検出することが困難である。また比較的大きい生物処理槽に溶存酸素濃度検出器を設置することが必要で、メンテナンスも含め作業性等に課題がある。さらに曝気による多量の混合水の流動化によって混合水中の異物等が溶存酸素濃度検出器に付着しやすく、正確な値を検出することが困難となる課題がある。前記課題を解決するために、生物処理槽から混合水の一部を別設の計測槽に取り込み溶存酸素濃度を検出するものがある。
【０００３】
この代表的例として、同心の円筒形外周壁及びそれより低い同心の円筒形内周壁と両周壁間の底壁とで画成された環状水路内に排水を連続流入させて環状水流を形成し、環状水流中に水質計測プローブを垂下して排水の水質を計測するものがある（例えば特許文献１参照）。
【特許文献１】特開２００２−３４０８８３号公報
【発明の開示】
【発明が解決しようとする課題】
【０００４】
しかしながら、前記従来の特許文献１に記載のものは、生物処理槽の溶存酸素濃度が低濃度の状態において、溶存酸素濃度検出器の低濃度域における検出性能の低下、さまざまな外乱の影響により正確な値を検出することが困難である。また高速の水流中での計測となり、水流の乱れから溶存酸素濃度検出器の検出値が不安定となり正確な値を検出することが困難で、水流による溶存酸素濃度検出器の破損の恐れも生じる。
【０００５】
したがって検出した溶存酸素濃度により排水の水質を生物処理に最適な条件に制御することが困難となる。
【０００６】
本発明は上記従来の課題を解決するもので、生物処理槽の被処理水である排水と汚泥との混合水の溶存酸素濃度を常に正確に把握し、これにより生物処理槽の溶存酸素濃度を最適条件に維持して混合水の好気性微生物による処理能力を向上させた排水処理方法を提供することを目的とする。
【課題を解決するための手段】
【０００７】
被処理水である排水と汚泥との混合水の曝気手段を有する生物処理槽と、前記生物処理槽の混合水を流入させ一定量貯留する計測槽と、前記計測槽の混合水の曝気手段と、前記計測槽の混合水の溶存酸素濃度検出器を備え、曝気を継続させた状態の生物処理槽の混合水を計測槽に流入させて一定量貯留し、貯留した計測槽の混合水を一定時間曝気して溶存酸素濃度を曝気槽の混合水の溶存酸素濃度よりも高めた後、計測槽の混合水への曝気を停止させて前記溶存酸素濃度検出器により計測槽の混合水の酸素利用速度を計測し、前記計測した酸素利用速度に基づいて生物処理槽の混合水の溶存酸素濃度を制御することを特徴とする排水処理方法としたものである。
【発明の効果】
【０００８】
本発明は、生物処理槽の排水の溶存酸素濃度を常に正確に把握し、これにより生物処理槽の溶存酸素濃度を最適条件に維持して排水の好気性微生物による処理能力を向上させた排水処理方法を提供することができる。
【発明を実施するための最良の形態】
【０００９】
第１の発明は、被処理水である排水と汚泥との混合水の曝気手段を有する生物処理槽と、前記生物処理槽の混合水を流入させ一定量貯留する計測槽と、前記計測槽の混合水の曝気手段と、前記計測槽の混合水の溶存酸素濃度検出器を備え、曝気を継続させた状態の生物処理槽の混合水を計測槽に流入させて一定量貯留し、貯留した計測槽の混合水を一定時間曝気して溶存酸素濃度を曝気槽の混合水の溶存酸素濃度よりも高めた後、計測槽の混合水への曝気を停止させて前記溶存酸素濃度検出器により計測槽の混合水の酸素利用速度を計測し、前記計測した酸素利用速度に基づいて生物処理槽の混合水の溶存酸素濃度を制御することを特徴とする排水処理方法としたものである。
【００１０】
これによって、計測槽で曝気して混合水の溶存酸素濃度を高めるとともに酸素利用速度を計測し、計測した酸素利用速度により生物処理槽の混合水の溶存酸素濃度の状態を把握し、これにより生物処理槽の混合水の溶存酸素濃度を最適条件に維持するよう制御する。これにより生物処理槽の混合水の溶存酸素濃度が低濃度の状態であっても、計測槽で曝気して混合水の溶存酸素濃度を高めることで、生物処理槽の混合水の溶存酸素濃度の状態を正確に把握することができる。
【００１１】
また、計測槽における混合水の貯留量は、酸素利用速度を計測できるだけの少量でよく、強力な曝気も必要としないので短時間で溶存酸素濃度を高めることができる。これにより溶存酸素濃度検出器の破損の恐れがなく、異物等の付着も抑制し、短時間で酸素利用速度を計測することができる。
【００１２】
さらに、計測槽の混合水の曝気を停止した状態で酸素利用速度を計測することにより、溶存酸素濃度検出器の検出値が安定し正確な値を検出することができる。
【００１３】
したがって、生物処理槽の混合水の溶存酸素濃度を常に正確に把握し、これにより生物処理槽の溶存酸素濃度を最適条件に維持して、混合水の好気性微生物による処理能力を向上させることができる。
【００１４】
第２の発明は、第１の発明において、計測槽の混合水の酸素利用速度を計測した後、計測槽の混合水を排出させるとともに、一定時間ごとに曝気中の生物処理槽の混合水を計測槽に流入させて一定量貯留し、前記計測槽の混合水の酸素利用速度を計測することを特徴とする排水処理方法としたものである。
【００１５】
これによって、常に生物処理槽の混合水の溶存酸素濃度を把握し、混合水の処理負荷変動等の経時変化に迅速に対応させ好気性微生物による処理能力を向上させることができる。
【００１６】
第３の発明は、第１または第２の発明において、計測槽に流入させた混合水の曝気開始後の溶存酸素濃度を検出し、前記計測槽の混合水の溶存酸素濃度が一定値以上であるとき、計測槽の混合水の曝気を停止することを特徴とする排水処理方法としたものである。
【００１７】
これによって、計測槽に流入させた混合水の必要以上の曝気をなくし、計測サイクルの短縮と、省エネルギー化を図ることができる。
【００１８】
第４の発明は、第１〜第３の発明において、計測した酸素利用速度により、生物処理槽への被処理水である排水の流入負荷および／または混合水の曝気能力を制御することを特徴とする排水処理方法としたものである。
【００１９】
これによって、これによって生物処理槽４の混合水に連続的に曝気を行いながら、混合水中の例えば処理すべき有機物濃度に応じて、生物処理槽への被処理水である排水の流入負荷および／または生物処理槽４の混合水の曝気能力を調節して最適な溶存酸素濃度に維持し、排水の処理能力の確保、その最大化を図り、過剰な曝気による無駄な電力消費の増大を防止することができる。
【００２０】
第５の発明は、第１〜第４の発明において、計測槽に溶存酸素濃度検出器および計測槽を洗浄する洗浄水を供給し、洗浄後の洗浄水を生物処理槽に排出することを特徴とする排水処理方法としたものである。
【００２１】
これによって、溶存酸素濃度検出器に付着した異物等を洗浄水により除去し、長期間にわたって正確で安定した検出をすることができる。
【００２２】
第６の発明は、第１〜第５の発明において、計測槽に供給した洗浄水を排出後、計測槽に溶存酸素濃度検出器の保存液または保存気体を充填することを特徴とする請求項５に記載の排水処理方法としたものである。
【００２３】
これによって、計測槽での溶存酸素濃度検出器による溶存酸素濃度の非計測時、排水の生物処理の停止時等に溶存酸素濃度検出器を保護して劣化を防止し、長期間にわたって正確で安定した検出をすることができる。
【００２４】
第７の発明は、第１〜第６の発明において、生物処理槽と計測槽の間に異物分離手段を備え、異物分離手段で異物を分離した混合水を計測槽に流入させることを特徴とするとしたものである。
【００２５】
これによって、異物等の溶存酸素濃度検出器への付着をなくし、長期間にわたって正確で安定した検出をすることができる。
【００２６】
第８の発明は、第１〜第７の発明において、計測槽に温度調節手段を備え、生物処理槽の混合水と計測槽の混合水の温度を略同一となるよう調節することを特徴とする排水処理方法としたものである。
【００２７】
これによって、生物処理槽の混合水と計測槽の混合水の温度条件を略同一となるよう調節し、生物処理槽の混合水の溶存酸素濃度の把握バラツキを抑制することができる。
【実施例】
【００２８】
以下、本発明による実施例の排水処理方法について、図面を参照して説明する。図１は本発明による一実施例の排水処理方法を示す構成図、図２は第１の分離槽、第２の分離槽の平面構成図である。なお図中の矢印は排水の流れを示す。
【００２９】
まず、生物処理手段１の構成、動作について説明する。流入管２から流量調節弁３を介して被処理水である排水を生物処理槽４に流入させ、一定量貯留する。生物処理槽４の被処理水である排水と汚泥との混合水に供給管６、散気管７、散気管７に設けた多数の噴出孔８を介してブロワ５からの空気を供給する。この曝気によって、生物処理槽４の混合水の溶存酸素を高めて好気性化し、微生物による分解を促進する。生物処理槽４で浄化処理された混合水は、接続管９を介して沈殿槽１０に供給され、汚泥分が沈降することでこれを分離し、排出管１１、開閉弁１２を介して排出し活性汚泥として生物処理槽４に返送する。汚泥分が除かれた処理水は、排出管１３より排出し、放流または再利用するものである。
【００３０】
次に、異物分離手段１４の構成、動作について説明する。図１に示すように工場や下水処理場などから排出される被処理水である排水は、生物処理槽４で浄化処理されるが、生物処理槽４の被処理水である排水と汚泥との混合水の水質を精度よく、また長期にわたって安定して検出するには、溶存酸素濃度検出器への異物の付着防止、さらに処理装置の配管等の閉塞を防ぐために、混合水に含まれる異物を除去することが重要である。
【００３１】
本実施例による異物分離手段１４は、生物処理槽４から異物を含む混合水を汲み上げる排水導入ポンプ１５と、排水導入ポンプ１５から第１の分離槽１７へ混合水を取り込む排水取込み管１６と、第１の分離槽１７と第２の分離槽１９とを結び、第１の分離槽１７からの１次処理水を第２の分離槽１９へ流入させる槽間接続管１８と、第１の分離槽１７で分離された異物を生物処理槽４へ返送する排水返送管２０と、第１の分離槽１７下部に設けられ排水返送管２０につながる接続管２１、第２の分離槽１９下部に設けられ排水返送管２０につながる接続管２２によって構成される。
【００３２】
第１の分離槽１７は上部が円筒状で、下部が円錐状のケーシングから構成されており、排水取込み管１６から取り込んだ混合水を少量の１次処理水と残りの混合水に分岐させるとともに、混合水に含まれる比較的大きく、重い異物を混合水とともに排水返送管２０を通じて生物処理槽４へ還流させるものである。
【００３３】
ここで、遠心力場における異物の分離速度はストークスの法則より（数１）で求めることができる。
ｖω＝（ρｐ−ρｆ  ）・（Ｄｐ）２・（ｒω）２／（１８μ）        （数１）
（数１）において、ｖωは異物の分離速度、ρｐは異物粒子の密度、ρｆは液体の密度、Ｄｐは異物粒子の直径（代表長さ）、ｒは異物粒子の旋回半径、ωは異物粒子の角速度、μは液体の粘度である。
【００３４】
つまり、排水から異物の分離を効率よく行うためには、異物粒子の回転角速度（ω）を大きくしなければならない。そこで、第１の分離槽１７は排水取込み管１６を通じて第１の分離槽１７内の接線方向へ混合水を取り込み、取り込んだ混合水の流速を利用して第１の分離槽１７内に強力な旋回水流を形成し、高速旋回角速度によって発生する強い遠心力で比較的直径（代表長さ）が大きく、重い質量の異物を高速旋回する第１の分離槽１７の内周部へ移動させ、混合水とともに接続管２１、排水返送管２０を通じて生物処理槽４へ還流させている。
【００３５】
一方、比較的大きく、重い質量の異物を分離した少量の１次処理水は槽間接続管１８より流出させ、第１の分離槽１７内の旋回水流によって分離された異物は、生物処理槽４へ還流する排水側へ誘引され、混合水とともに生物処理槽４へと還流されている。ここで、１次処理水と生物処理槽４へ還流される混合水の流量比は、３：７〜１：９とするのが好ましい。
【００３６】
また、第２の分離槽１９は円筒状の胴部分１９ａとおわん状の底部分１９ｂとで構成されている。第２の分離槽１９の胴部分１９ａには、１次処理水を第２の分離槽１９に導入する槽間接続管１８と、２次処理水を導出する２次処理水導出管２３とを第２の分離槽１９内に突き出して設けている。２次処理水を導入する槽間接続管１８は、２次処理水導出管２３より下方側で、底部分１９ｂよりも上方側に配置されている。槽間接続管１８の流出口１８ａにはエルボが形成され（詳細は図２参照）、第２の分離槽１９内で胴部分１９ａの接線方向へ１次処理水を流出させ、流出させた１次処理水の流速を使って第２の分離槽内１９に緩やかな旋回液流を形成し、第２の分離槽内１９の流れを整流すると共に、低速旋回水流によって発生する弱い遠心力で１次処理水よりも重い質量の異物を第２の分離槽１９の内周部へ緩やかに移動させつつ凝集させ、重力によって沈降分離させている。
【００３７】
ここで、重力場における異物の分離速度はストークスの法則より（数２）で求めることができる。
ｖｆ＝（ρｐ−ρｆ  ）・ｇ・（Ｄｐ）２／（１８μ）        （数２）
（数２）において、ｖｆは異物の分離速度、ρｐは異物粒子の密度、ρｆは液体の密度、Ｄｐは異物粒子の直径（代表長さ）、ｇは重力加速度、μは液体の粘度である。
【００３８】
つまり、重力を使って混合水から異物の分離を効率よく行うためには、異物粒子の直径（代表長さ）（Ｄｐ）を大きくしなければならない。そこで、第２の分離槽１９では接続管２２に滞留時間調節弁２４を設け、滞留時間調節弁２４の開度を調節することにより、第２の分離槽１９へと流入する１次処理水の流入速度を増減し、第２の分離槽内１９の１次処理水の滞留時間を調節することで、１次処理水に含まれる異物の種類に応じた旋回流速の微調整が可能となり、効率よく異物粒子を凝集させて異物粒子の直径（Ｄｐ）を大きくし重力によって沈降分離させている。
【００３９】
一方、必要な２次処理水のみを第２の分離槽１９から取り出し、分離した異物は混合水とともに第２の分離槽１９の底部分１９ｂの接続管２２から生物処理槽４へ還流させているが、分離した異物が少ない場合、この滞留時間調節弁２４を通常の運転時は閉じておき、メンテナンスを行う場合に開放し、第２の分離槽１９に沈降分離した異物を排出することも可能である。
【００４０】
２次処理水導出管２３の導入口２３ａは第２の分離槽１９における旋回水流の中心軸もしくは中心軸近傍で、第２の分離槽１９内の水面より下側で、上向きに開口しており、第２の分離槽１９の水面に浮上した浮遊性の異物、底部分１９ｂに沈降した沈降性の異物、及び旋回流による慣性力で第２の分離槽１９の内周へ分離された異物を導入することなく、２次処理水の排出が可能となっている。
【００４１】
また、底部分１９ｂに凝集沈降した沈降性の異物は、混合水とともに接続管２２より生物処理槽４へ返送することが可能となっている。ここで、第２の分離槽１９の上部には、空気抜き弁２５を設け、第２の分離槽１９内へ溜まった空気を外部へ排出するように構成することが好ましい。空気抜き弁２５を設けることで、第２の分離槽１９に余分な圧力がかからず、胴部分１９ａの強度を低く抑えることができ、第２の分離槽１９のコンパクト化と低コスト化を実現できる。
【００４２】
接続管２１には１次処理水の流量を調節する１次処理水流量調節弁２６が、２次処理水導出管２３には２次処理水流量計２７が設けられている。１次処理水流量調節弁２６の開度を調節することで、第１の分離槽１７や第２の分離槽１９へかかる圧力を調節することができ、その結果、２次処理水導出管２３や槽間接続管１８へと流出する１次処理水や２次処理水の流量を調節することができる。
【００４３】
すなわち、１次処理水の流量を増す場合は１次処理水流量調節弁２６を閉じ、第１の分離槽１７や第２の分離槽１９へかかる圧力を高める。一方、１次処理水の流量を減らす場合は１次処理水流量調節弁２６を開け、第１の分離槽１７や第２の分離槽１９へかかる圧力を減少させる。
【００４４】
このように、接続管２１に１次処理水流量調節弁２６を設けることで、２次処理水導出管２３や槽間接続管１８に異物が詰まった場合でも加圧量を増加することが可能となり、異物を押し流すことで配管の閉塞を防ぐことができる。また処理水流量の調節を流量の多い排水返送管２０、接続管２１で行うために、配管が細く、流量が少ない槽間接続管１８や２次処理水導出管２３で１次処理水の流量を調節する場合よりも１次処理水流量調節弁２６の閉塞を防止することができる。
【００４５】
第２の分離槽１９の上部の液面レベル付近には、第２の分離槽１９の上部の液面レベル付近から排水返送管２０へとつながった浮遊物返送管２８が設けられ、浮遊物返送管２８には浮遊物排出弁２９が設けられている。混合水よりも軽く、遠心力や重力によって分離することのできない浮遊性の異物は浮遊物排出弁２９を開放することで、第２の分離槽１９より排出することができる。
【００４６】
図２は本実施例による異物分離手段主要部の平面図である。本図に示すように、第１の分離槽１７の中心軸と第２の分離槽１９の中心軸が一致するように第１の分離槽１７と第２の分離槽１９を結ぶ槽間接続管１８が設けられている。このように槽間接続管１８を配置することで、配管の長さを短くすることができ、異物分離手段１４全体をコンパクトに構成することができるとともに、配管の閉塞などの故障を最小限にすることもできる。なお、異物分離手段１４は、前記した構成に限定されるものではなく、フィルターを用いたものでもよい。
【００４７】
次に、水質計測手段３０の構成、動作について説明する。異物分離手段１４の２次処理水導出管２３より流出する２次処理水を、三方弁３１を介して計測槽３２に流入させて一定量貯留する。計測槽３２には、溶存酸素濃度を検出する溶存酸素濃度検出器３３を貯留する２次処理水中に位置させている。
【００４８】
計測槽３２の底部に排出管３４を接続し、計測槽３２に貯留した混合水の水質を計測後、混合水を開とした開閉弁３５、排出管３４を介して生物処理槽４に返送する。また三方弁３１と排出管３４とを接続する接続管３６を設けている。前記三方弁３１は、２次処理水を計測槽３２に流入させて一定量貯留する流れと、一定量貯留し水質を計測終了後、接続管３６を介して排出管３４から生物処理槽４に返送する流れを切り替えるものである。
【００４９】
計測槽３２には、ブロワ４０に接続した供給管３７と、この供給管３７に接続し、多数の噴出口３９を有した散気管３８とを設けて、曝気は、計測槽３２の混合水にブロワ４０から供給管３７、散気管３８、噴出孔３９へと空気を供給することで行なうものである。この曝気によって、計測槽３２の混合水の溶存酸素濃度を、生物処理槽４の混合水の溶存酸素濃度よりも高めるものである。
【００５０】
計測槽３２における混合水の貯留量は、酸素利用速度を計測できるだけの少量でよく、強力な曝気も必要としないので短時間で溶存酸素濃度を高めることができる。これにより溶存酸素濃度検出器３３の破損の恐れがなく、異物等の付着も抑制し、短時間で酸素利用速度を計測することができる。
【００５１】
生物処理槽から計測槽３２に流入させた混合水の曝気開始後の溶存酸素濃度を溶存酸素濃度検出器３３により検出し、前記計測槽３２の混合水の溶存酸素濃度が一定値以上であるとき、計測槽の混合水の曝気を停止するようにしたものである。これによって、計測槽に流入させた混合水の必要以上の曝気をなくし、計測サイクルの短縮と、省エネルギー化を図ることができる。
【００５２】
計測槽３２の混合水への曝気を停止させた後、計測槽３２の混合水の酸素利用速度を溶存酸素濃度検出器３３により計測する。計測槽３２の混合水の曝気を停止した状態で酸素利用速度を計測することにより、溶存酸素濃度検出器３３の検出値が安定し、正確な値を検出することができる。
【００５３】
生物処理槽４の混合水に連続的に曝気を行うが、混合水中の例えば処理すべき汚染物である有機物濃度に対して曝気量が不足状態にあるときは、溶存酸素濃度が低下する。この混合水を計測槽３２に流入させて曝気し、溶存酸素濃度を一定値以上に高めた後、曝気を停止して酸素利用速度を計測した場合は、酸素の消費量が多く混合水の溶存酸素濃度の低下が速くなる（酸素消費速度が速い）。この状態を計測した場合は、生物処理槽４への被処理水である排水の流入負荷の減少および／または排水の曝気能力を高めるよう制御器（図示なし）により制御する。  
【００５４】
また、混合水中の例えば処理すべき汚染物である有機物濃度に対して曝気量が過剰状態にあるときは、溶存酸素濃度が高い。この混合水を計測槽３２に流入させて曝気し、溶存酸素濃度を一定値以上に高めた後、曝気を停止して酸素利用速度を計測した場合は、酸素の消費量が少なく混合水の溶存酸素濃度の低下が遅くなる（酸素消費速度が遅い）。この状態を計測した場合は、生物処理槽４への被処理水である排水の流入負荷の増加および／または排水の曝気能力を下げるよう制御器（図示なし）により制御する。
【００５５】
これによって生物処理槽４への混合水に連続的に曝気を行いながら、混合水中の例えば処理すべき有機物濃度に応じて、生物処理槽４への被処理水である排水の流入負荷および/または曝気能力を調節して最適な溶存酸素濃度に維持し、被処理水である排水の処理能力の確保、その最大化および過剰な曝気による無駄な電力消費の増大を防止することができる。
【００５６】
また生物処理槽４の混合水への曝気は間欠曝気の場合もあり、ブロワ５による空気供給を断続的に行い、曝気時間（好気時間）を変化させてもよく、連続曝気より電力消費を削減できる。
【００５７】
なお被処理水である排水の流入負荷は、被処理水である排水の生物処理槽４への流入量を制御することによって行う。また処理すべき汚染物である有機物濃度の異なる排水を選択して生物処理槽４へ流入させることによっても制御することができる。
【００５８】
また、計測槽３２に溶存酸素濃度検出器３３および計測槽３２を洗浄する洗浄水を、供給管４１、開閉弁４２、散水部４３を介して供給し、洗浄後の洗浄水を開閉弁３５、排出管３４を介して生物処理槽４に排出するものである。これによって、溶存酸素濃度検出器３３および計測槽３２に付着した異物等を洗浄水により除去し、長期間にわたって正確で安定した検出をすることができる。
【００５９】
また、計測槽３２に供給した洗浄水を排出後、計測槽３２に溶存酸素濃度検出器３３を保護する保存液である洗浄水または保存気体を充填する。これによって、計測槽３２での溶存酸素濃度検出器３３による溶存酸素濃度の非計測時、排水の生物処理の停止時等に溶存酸素濃度検出器３３を保護して劣化を防止し、長期間にわたって正確で安定した検出をすることができる。なお保存液を洗浄水としたが、純水その他保存に適した液体でもよい。また保存気体は窒素、アルゴン等を用いることができる。
【００６０】
さらに、本実施例のように生物処理槽４と計測槽３２の間に異物分離手段１４を備え、異物分離手段１４で異物を分離した混合水を計測槽３２に流入させることによって、異物等の溶存酸素濃度検出器３３への付着を抑制し、長期間にわたって正確で安定した検出をすることができる。また前記溶存酸素濃度検出器３３および計測槽３２の洗浄の間隔を長くすることができる。  
【００６１】
また、大型となる生物処理槽４は、温度が一定となりやすい通常地中に埋設させ、小型でよい計測槽３２は温度が変化しやすい地上に備えることになるため、生物処理槽４の混合水と計測槽３２の混合水の温度が大きく異なる場合があり、計測槽３２における溶存酸素濃度の検出誤差を生じやすい。
【００６２】
本実施例においては、生物処理槽４の混合水および計測槽３２の混合水の温度計測器（図示なし）と、計測槽３２に温度調節手段４４を備え、これにより生物処理槽４の混合水と計測槽３２の混合水の温度を略同一となるよう調節する。これによって、生物処理槽４の混合水と計測槽３２の混合水の温度条件を略同一となるよう調節し、生物処理槽４の混合水の溶存酸素濃度の検出誤差を抑制することができる。なお、温度調節手段４４は、電気ヒータ、ペルチェ素子、冷温水製造機等を用いることができる。
【００６３】
以上のように、本発明の排水処理方法によれば、生物処理槽４の混合水の溶存酸素濃度を常に正確に把握し、これにより生物処理槽４の溶存酸素濃度を最適条件に維持して混合水の好気性微生物による処理能力を向上させた排水処理方法を提供することができる。
【産業上の利用可能性】
【００６４】
本発明による排水処理方法は、工場や、排水処理施設などから排出されるさまざまな排水に対して適用することができる。
【図面の簡単な説明】
【００６５】
【図１】本発明による一実施例の排水処理方法を示す構成図
【図２】図１における第１の分離槽、第２の分離槽の平面構成図
【符号の説明】
【００６６】
１    生物処理手段
２    流入管
３    流量調節弁
４    生物処理槽
５、４０    ブロワ
６、３７、４１    供給管
７、３８    散気管
８、３９    噴出孔
９、２１、２２、３６    接続管
１０    沈殿槽
１１、３４    排出管
１２、３５、４２    開閉弁
１３    排出管
１４    異物分離手段
１５    排水導入ポンプ
１６    排水取込み管
１７    第１の分離槽
１８    槽間接続管
１８ａ    流出口
１９    第２の分離槽
１９ａ    胴部分
１９ｂ    底部分
２０    排水返送管
２３    ２次処理水導出管
２３ａ    導入口
２４    滞留時間調節弁
２５    空気抜き弁
２６    １次処理水流量調節弁
２７    ２次処理水流量計
２８    浮遊物返送管
２９    浮遊物排出弁
３０    水質計測手段
３１    三方弁
３２    計測槽
３３    溶存酸素濃度検出器
４３    散水部
４４    温度調節手段
【図１】
2007167703.tif 000003
【図２】
2007167703.tif 000004